(57)【要約】【課題】  学習者が有する学習意欲を維持し得る情報端末、情報処理方法、及び教育支援システムを提供することを目的とする。【解決手段】  複数の試験問題を記憶する試験問題記憶部と、前記試験問題記憶部により記憶される試験問題に関する情報を表示する試験問題表示部と、前記試験問題記憶部により記憶される試験問題の中から一または複数の試験問題を指定する操作を受け付ける操作受付部と、前記操作により指定された試験問題に対応する解答欄の印刷位置と、当該試験問題を識別する識別情報と、を含む符号を生成する符号生成部と、前記操作により指定された試験問題に対応する解答欄と、前記符号生成部により生成された符号と、を含むレイアウトを印刷用に出力する印刷出力部と、を備える。【選択図】  図１
2013011705.tif 000002
【特許請求の範囲】
【請求項１】
複数の試験問題を記憶する試験問題記憶部と、
前記試験問題記憶部により記憶される試験問題に関する情報を表示する試験問題表示部と、
前記試験問題記憶部により記憶される試験問題の中から一または複数の試験問題を指定する操作を受け付ける操作受付部と、
前記操作により指定された試験問題に対応する解答欄の印刷位置と当該試験問題を識別する識別情報とを含む符号を生成する符号生成部と、
前記操作により指定された試験問題に対応する解答欄と前記符号生成部により生成された符号とを含むレイアウトを印刷用に出力する印刷出力部と、
を備えたことを特徴とする情報端末。
【請求項２】
前記レイアウトには、前記操作により指定された試験問題を含むことを特徴とする請求項１に記載の情報端末。
【請求項３】
前記解答欄の印刷位置は、解答欄の各頂点の座標により特定されることを特徴とする請求項１または２に記載の情報端末。
【請求項４】
前記符号は、方向に関する情報を含むことを特徴とする請求項１〜３の何れかに記載の情報端末。
【請求項５】
前記符号は、解答欄の解像度に関する情報を含むことを特徴とする請求項１〜４の何れかに記載の情報端末。
【請求項６】
自己またはユーザのＩＤを記憶するＩＤ記憶部を備え、
前記符号は、前記ＩＤ記憶部により記憶されるＩＤを含むことを特徴とする請求項１〜５の何れかに記載の情報端末。
【請求項７】
解答用紙の画像データを入力する画像データ入力部と、
解答用紙に印刷された符号から、解答欄の印刷位置と、当該解答欄が対応する試験問題を識別する識別情報とを抽出する情報抽出部と、
前記情報抽出部により印刷位置が抽出された解答欄の回答を、当該解答欄が対応する試験問題を識別する識別情報と関連付けて取得する解答取得部と、
を備えたことを特徴とする請求項１〜６の何れかに記載の情報端末。
【請求項８】
複数の試験問題を記憶する工程と、
試験問題に関する情報を表示する工程と、
試験問題を指定する操作を受け付ける工程と、
前記操作により指定された試験問題に対応する解答欄の印刷位置と、当該試験問題を識別する識別情報と、を含む符号を生成する工程と、
前記操作により指定された試験問題に対応する解答欄と、前記符号生成部により生成された符号と、を含むレイアウトを印刷用に出力する工程と、
を含むことを特徴とする情報処理方法。
【請求項９】
解答用紙の画像データを入力する工程と、
解答用紙に印刷された符号から、解答欄の印刷位置と、当該解答欄が対応する試験問題を識別する識別情報とを抽出する工程と、
印刷位置が抽出された解答欄の解答を、当該解答欄が対応する試験問題を識別する識別情報と関連付けて取得する工程と、
を含むことを特徴とする請求項８に記載の情報処理方法。
【請求項１０】
情報端末と、サーバと、を備える教育支援システムであって、
前記情報端末は、解答用紙の画像データを入力する画像データ入力部と、当該画像入力部により入力された画像データを前記サーバに出力する画像データ出力部と、を備え、
前記サーバは、解答用紙に印刷された符号から、解答欄の印刷位置と、当該解答欄が対応する試験問題を識別する識別情報とを抽出する情報抽出部と、前記情報抽出部により印刷位置が抽出された解答欄の解答を、当該解答欄が対応する試験問題を識別する識別情報と関連付けて取得する解答取得部と、を備えたことを特徴とする教育支援システム。
【請求項１１】
前記サーバは、試験問題の正解を記憶する正解記憶部と、当該正解記憶部により記憶される正解と解答取得部により取得された解答欄の解答との比較を行う解答比較部と、を備えることを特徴とする請求項１０に記載の教育支援システム。
【請求項１２】
前記サーバは、前記解答比較部による解答の結果を前記情報端末に出力する回答結果出力部を備えることを特徴とする請求項１１に記載の教育支援システム。
【発明の詳細な説明】
【技術分野】
【０００１】
本発明は、情報端末、情報処理方法及び教育支援システムに関する。
【背景技術】
【０００２】
本技術分野の背景技術として、特開２００４−３０９８９０号公報（特許文献１）がある。この公報には、「学習問題を自動選択する問題作成処理部５と、その学習問題を表示させると共にその学習問題に対する学習者の答案データが手書きにより直接ペンタッチ入力される出入力モニタ１と、出入力モニタ１に入力された手書きによる答案データを認識しテキストデジタルデータにライン変換するレコグナイズ処理部３と、変換されたテキストデジタルデータと予め学習問題に対応づけて用意された正解データとを照合する正誤解析部６と、正誤解析部６による結果に応じて対応データを出力させる解答処理部７と、を有するものである。」と記載されている。
【０００３】
また、本技術分野の背景技術として、特開２０１０−１５２４８０号公報（特許文献２）がある。この公報には、「多数の解答用紙から多数の答案画像を作成し、インターネットに開放するためのＷｅｂサーバに保存し、多数の採点者はクライアント・パソコンからインターネットを介して上記Ｗｅｂサーバの答案にアクセスし、採点し、採点結果を採点単位データベース用Ｗｅｂサーバにアップロードする形式のデジタル採点システムであって、当該デジタル採点システムは少なくとも、ＱＲコード管理システムとスキャナーシステムと採点単位管理システムとＷｅｂサーバ・システムとクライアントシステムとで構成されており、予め全教科の解答用紙に教科ＱＲコード及び切り出しマークが印刷され、他に座席ＱＲコードのシールが印刷され、当該座席ＱＲコードのシールはテスト実施時に上記解答用紙及びマスターシートに貼り付けて回収される。」と記載されている。
【先行技術文献】
【特許文献】
【０００４】
【特許文献１】特開２００４−３０９８９０号公報
【特許文献２】特開２０１０−１５２４８０号公報
【発明の概要】
【発明が解決しようとする課題】
【０００５】
近時、情報通信技術の教育への活用が要請されているが、特許文献１のように、試験問題の解答の電子的な記録を学習者に常に求めることは、例えば、解答の記録を行う情報端末における電池の残り容量が試験時間と比して乏しかったり、学習者が当該情報端末を持ち出すことができない規則が存在したりする場合に、学習者が試験問題を解く機会や環境を制約してしまい、学習者の意欲を削いでしまう可能性がある。
【０００６】
また、特許文献２のように、試験問題が学習者間で画一的であると、例えば、学習者が、自らの理解度に合わせて難易度の比較的高い試験問題を選択して自己学習をするようなことができず、折角の学習意欲を削いでしまう虞がある。
【０００７】
そこで、本発明は、学習者が有する学習意欲を維持し得る情報端末、情報処理方法、及び教育支援システムを提供することを目的とする。
【課題を解決するための手段】
【０００８】
上記課題を解決するために、例えば、特許請求の範囲に記載の構成を採用する。
【０００９】
本願は上記課題を解決する手段を複数含んでいるが、その一例を挙げるならば、複数の試験問題を記憶する試験問題記憶部と、前記試験問題記憶部により記憶される試験問題に関する情報を表示する試験問題表示部と、前記試験問題記憶部により記憶される試験問題の中から一または複数の試験問題を指定する操作を受け付ける操作受付部と、前記操作により指定された試験問題に対応する解答欄の印刷位置と当該試験問題を識別する識別情報とを含む符号を生成する符号生成部と、前記操作により指定された試験問題に対応する解答欄と前記符号生成部により生成された符号とを含むレイアウトを印刷用に出力する印刷出力部と、を備えたことを特徴とする情報端末である。
【発明の効果】
【００１０】
本発明によれば、学習者が有する学習意欲を維持し得る情報端末、情報処理法方及び教育支援システムを提供することができる。
【図面の簡単な説明】
【００１１】
【図１】学習者用端末の構成図の例である。
【図２】解答用紙を印刷する際の学習者用端末１０の動作を説明するフローチャートの例である。
【図３】解答用紙から解答を取得する際の学習者用端末１０の動作を説明するフローチャートの例である。
【図４】解答用紙の例である。
【図５】解答欄マーカーを含む解答用紙の例である。
【図６】問題識別記号を含む解答用紙の例である。
【図７】基準位置マーカーを含む解答用紙の例である。
【図８（ａ）】印刷方向が異なる解答用紙を説明するための図である。
【図８（ｂ）】印刷方向が異なる解答用紙を説明するための図である。
【図８（ｃ）】印刷方向が異なる解答用紙を説明するための図である。
【図８（ｄ）】印刷方向が異なる解答用紙を説明するための図である。
【図９】解答確認欄を含む解答用紙の例である。
【図１０】複数の領域に分割された解答用紙の例である。
【図１１】教育支援システムの構成の例である。
【図１２】学習者用端末の構成図の例である。
【図１３】学校サーバの構成図の例である。
【図１４】携帯端末の構成図の例である。
【図１５】ＰＣ端末の構成図の例である。
【図１６】教育支援システムの動作を説明するフローチャートの例である。
【図１７】解答用紙識別符号に埋め込まれた情報の例である。
【図１８】解答用紙識別符号に埋め込まれた情報の例である。
【図１９】紙ＩＤと解答欄との関係を説明するための図である。
【図２０】解答用紙識別符号に埋め込まれた情報の例である。
【図２１】解答用紙識別符号に埋め込まれた情報の例である。
【図２２】複数の学習者により同内容の解答があったことを説明するための図である。
【図２３】解答欄位置決定処理の一例である。
【図２４】解答用紙作成テーブルの一例である。
【発明を実施するための形態】
【００１２】
以下、本発明に係る実施例を図面を用いて説明する。
【実施例１】
【００１３】
図１は、本実施例に係る学習者用端末１０の構成図の例である。
【００１４】
学習者用端末１０は、表示部１００１、操作部１００２、電源供給部１００３、記憶部１００４、制御部１００５、インターフェース部１００６、バス１００７、及びカメラ部１００８を備える。
【００１５】
表示部１００１は、液晶ディスプレイ、有機ＥＬ（Ｅｌｅｃｔｒｏ−Ｌｕｍｉｎｅｓｃｅｎｃｅ）ディスプレイ、及び電子ペーパー等のパネル並びにドライバ回路等から構成され、制御部１００５の制御下にて、任意の情報（例えば、文字、静止画、及び動画等）を表示する。なお、表示部１００１は、複数のパネルを有し、それぞれが異なる情報を表示するようにしても良い。
【００１６】
操作部１００２は、キーボード、マウス、カーソルキー、及びテンキー等の一または複数を備え、ユーザの操作を受け付け、当該操作に基づいた信号を制御部１００５に出力する。なお、音声認識、画像認識、またはジェスチャ認識等によってユーザの挙動に応じた信号を生成し、制御部１００５に出力するようにしても良い。なお、表示部１００１のパネルと操作部１００２のユーザの接触操作を受け付ける部分とが一体となったタッチパネルを適用しても良い。
【００１７】
電源供給部１００３は、バッテリ、ＡＣアダプタ、及び充電回路等から構成され、学習者用端末１０の各部への電源供給や、バッテリへの充電を行う。また、学習者用端末１０がバッテリ駆動されているか、ＡＣアダプタ駆動されているかといった状態確認や、バッテリの残量確認を行う。
【００１８】
記憶部１００４は、学習者用端末１０に内蔵されるメモリ、または着脱可能な外部メモリ等から構成され、各種の情報を記憶する。例えば、制御部１００５が実行する動作制御用プログラムや複数種類の試験問題が記憶される。
【００１９】
制御部１００５は、ＣＰＵ（Ｃｅｎｔｒａｌ  Ｐｒｏｃｅｓｓｉｏｎｇ  Ｕｎｉｔ）、ＭＰＵ（Ｍｉｃｒｏ  Ｐｒｏｃｅｓｓｉｏｎｇ  Ｕｎｉｔ）、及びＤＳＰ（Ｄｉｇｉｔａｌ  Ｓｉｇｎａｌ  Ｐｒｏｃｅｓｓｏｒ）等から構成され、所定の動作制御用プログラムを実行するなどして、学習者用端末１０全体の動作を制御する。
【００２０】
インターフェース部１００６は、例えば、ＵＳＢ（Ｕｎｉｖｅｒｓａｌ  Ｓｅｒｉａｌ  Ｂｕｓ）、ワイヤレスＵＳＢ、及び無線ＬＡＮ等の規格に準じた通信を可能にするポート及びコントローラ等から構成され、後述する印刷部１０１１及びスキャン部１０１２など、学習者用端末１０の外部の機器（以下、単に「外部機器」）に情報を出力したり、当該外部機器からの情報を入力したりする。
【００２１】
バス１００７は、各部が相互に信号を伝送するための伝送路である。
【００２２】
カメラ部１００８は、レンズ等の光学式部品を含む撮像デバイスと画像処理デバイス等を備えている。カメラ部１００８は、制御部１００５の制御の下、撮像を行い、静止画や動画等の画像データを生成する。
【００２３】
印刷部１０１１は、インターフェース部１００６を介して、学習者用端末１０により送信される情報を入力し、当該情報に基づいて紙への印刷を実行する。
【００２４】
スキャン部１０１２は、紙を読み取って画像データを生成し、その画像データをインターフェース部１００６を介して学習者用端末１０へと出力する。
【００２５】
なお、図１では、印刷部１０１１やスキャン部１０１２は、それぞれインターフェース部１００６を介して学習者用端末１０へと接続されているが、そのうちの一方または両方をインターフェース部１００６を介さずにバス１００７に直接接続し、学習者用端末１０に内蔵するようにしても良い。また、図１では、印刷部１０１１とスキャン部１０１２の両方が学習者用端末１０へと接続されているが、使用される場面によっては、どちらか一方のみが学習者用端末１０に接続されていても良い。また、印刷部１０１１とスキャン部１０１２とは、別体であっても、一体であっても良い。
【００２６】
図２に、解答用紙を印刷する際の学習者用端末１０の動作をフローチャートとして示す。なお、本実施例の解答用紙は、学習者が解答を記入するための解答欄に加えて、試験問題（問題文）も含んでいる。これにより、学習者は、学習者用端末１０を所持していないときであっても、解答用紙上の試験問題を解くことによって、学習を行うことができる。
【００２７】
まず、制御部１００５は、記憶部１００４により記憶されている試験問題に関する情報を表示部１００１に表示させる（Ｓ１００１）。具体的には、試験問題の全文を表示したり、それぞれの冒頭の部分のみを表示したりする。また、試験問題そのものではなく、教科名や教科内の領域名など、試験問題の属性を表示するようにしても良い。また、記憶部１００４により記憶されている試験問題全てについての情報を表示する必要はなく、一部の試験問題についての属性等を表示するようにしても良い。
【００２８】
そして、制御部１００５は、一又は複数の試験問題を指定する操作を操作部１００２が受け付けるのを監視する（Ｓ１００２）。ここで指定された試験問題が、解答用紙に印刷される対象となる。操作部１００２が印刷対象の試験問題を指定する操作を受け付けると、制御部１００５は、解答用紙に印刷される解答欄の位置を示す情報（以下、「位置情報」）を決定する解答欄位置決定処理（後述）を行う（Ｓ１００３）。
【００２９】
次に、制御部１００５は、指定された試験問題の問題ＩＤと解答欄の位置情報とを変換して、紙に印刷してもあとからデジタルデータとして読み取れるように、解答用紙識別符号を生成する（Ｓ１００４）。問題ＩＤとは、各試験問題を識別可能とする情報であり、例えば、その試験問題が対応する教科名や、どの教科書のどこに記載された試験問題であるかを特定可能にする情報を含んでいても良い。解答用紙識別符号は、ＱＲコード（登録商標）などの所定の規則に従って、印刷対象となった試験問題の問題ＩＤ及び解答欄の位置情報を変換して得られる。なお、印刷対象の試験問題が複数指定された場合にあっては、解答用紙識別符号は各試験問題の問題ＩＤとそれぞれの解答欄の位置情報とが関連付けられて生成される。
【００３０】
そして、制御部１００５は、学習者により指定を受けた試験問題及びその解答欄、並びに解答用紙識別符号に基づいて、解答用紙１枚ごとのレイアウト（以下、「印刷レイアウト」）を決定する（Ｓ１００５）。印刷レイアウトとは、印刷予定の解答用紙のイメージであり、試験問題、解答欄、解答用紙識別符号等の配置が含まれる。例えば、解答用紙識別符号は、縦横２ｃｍ角の大きさで、解答用紙の右上端から上１．５ｃｍ、右１．５ｃｍの余白を取った場所に位置するように印刷レイアウトが決定される。また、試験問題、解答欄及び解答用紙識別符号はそれぞれ重ならないように位置するように印刷レイアウトが決定される。
【００３１】
最後に、制御部１００５は、決定された印刷レイアウトに即して解答用紙が印刷されるように、当該印刷レイアウトを示す情報を印刷部１０１１へインターフェース部１００６を介して出力する（Ｓ１００６）。なお、印刷部１０１１は、学習者用端末１０により出力された印刷レイアウトに関する情報を入力すると、当該印刷レイアウトどおりの印刷を行う。
【００３２】
なお、解答記入済みの解答用紙が、紙のまま指導者などに提出されることを想定し、後で学習者が氏名を書き込めるように、氏名欄も含む印刷レイアウトを決定し、印刷しても良い。その際、学習者用端末１０が、そのユーザである学習者の氏名を記憶している場合、当該学習者の氏名を印刷しても良い。
【００３３】
図２３は、解答欄位置決定処理の一例を示す図である。
【００３４】
先ず、制御部１００５は、学習者により指定された試験問題のそれぞれについて、指定された試験問題の中での通し番号を付ける（Ｓ２００１）。その後、制御部１００５は、解答用紙において試験問題及び解答欄が印刷される始点の位置を特定する（Ｓ２００２）。始点の位置は、予め記憶部１００４により記憶されており、例えば、解答用紙の左上の角から３ｃｍ下、且つ２ｃｍ右の位置が適用される。
【００３５】
次に、制御部１００５は、未処理の試験問題、即ち、問題の内容が記載される領域（以下、「問題記載領域」）及び解答欄の位置情報が定まっていない試験問題のうち、付された通し番号が最も若い試験問題を特定し（Ｓ２００３）、記憶部２００４により記憶される解答用紙作成テーブル（後述）を参照して、問題記載領域及び解答欄の位置情報を決定する（Ｓ２００４）。
【００３６】
そして、制御部１００５は、問題記載領域の終点及び解答欄の終点が解答用紙内か否かを判別する（Ｓ２００５）。尚、本実施例では、問題記載領域の終点も解答欄の終点もそれぞれの領域の最も右下の位置が適用される。問題記載領域及び解答欄のそれぞれの終点が解答用紙内に収まる場合（Ｓ２００５：Ｙｅｓ）、制御部１００５は、フラグ等を用いて、その試験問題を処理済に変更し（Ｓ２００７）、未処理の試験問題が他にあるかどうかを判別する（Ｓ２００８）。未処理の試験問題が他にある場合には（Ｓ２００８：Ｙｅｓ）、制御部１００５は、次の試験問題が印刷される始点の位置を特定し（Ｓ２００９）、Ｓ２００３の処理の実行に戻る。尚、次の試験問題が印刷される始点としては、例えば、解答用紙の左端から２ｃｍ右であって、問題記載領域の終点及び解答欄の終点のうち最も下の位置から３ｃｍ下の位置が適用される。
【００３７】
問題記載領域及び解答欄のそれぞれの終点が解答用紙内に収まらない場合（Ｓ２００５：Ｎｏ）、制御部１００５は、改ページが必要であると見なして、印刷対象のページを次のページに更新し（Ｓ２００６）、Ｓ２００２の処理の実行に戻る。また、未処理の試験問題がない場合には、解答欄位置決定処理は終了する。
【００３８】
図２４は、解答用紙作成テーブルの一例を示す図である。解答用紙作成テーブルは、全ての試験問題の問題ＩＤ（Ａ１００１）毎に、試験問題の内容Ａ１００２及び問題記載領域（言い換えると、試験問題の枠）の形状を示す情報Ａ１００３と、解答欄の形状を示す情報Ａ１００４及び試験問題と問題記載領域との相対的な位置を示す情報Ａ１００５と、を規定する。例えば、問題ＩＤ「０１００１」の試験問題は「２×２」という内容であり、この内容は４ｃｍ×８ｃｍの長方形の枠内に印刷される。また、この試験問題の解答が記入されるべき解答欄は２ｃｍ四方の正方形で構成され、問題記載領域の３ｃｍ右、且つ１ｃｍ下に位置する。本実施例では、解答欄の問題記載領域との相対的な位置は、解答欄の始点である左上の角が、問題記載領域の終点である右下の角に対して、どの位置にあるかにより定められる。
【００３９】
なお、試験問題の内容Ａ１００２は例えば「問５  ２×２」等のように問題番号を含めた形であっても良い。
【００４０】
図４に、本実施例に係る解答用紙８０の例を示す。解答用紙８０には、試験問題８００１、８００２、８００３と、各試験問題にそれぞれ対応した解答欄８００４、８００５、８００６が印刷される。また、解答用紙に印刷されている試験問題を識別するための問題ＩＤと、各試験問題に対応する解答欄の位置情報が埋め込まれている解答用紙識別符号８００７が印刷される。学習者は、この印刷された解答用紙上の各試験問題を解き、解答欄に解答を記入する。
【００４１】
図１７に、解答用紙識別符号に埋め込まれている情報の例を示す。
【００４２】
解答用紙識別符号には、印刷されている試験問題を識別するための問題ＩＤ  Ｃ１００１と、各試験問題に対応する解答欄の位置情報が含まれている。本実施例の解答欄の位置情報には、解答欄の形状に関する情報Ｃ１０１０も含まれており、何れの解答欄も２ｃｍ四方の正方形としている。また、解答欄の位置情報には、解答欄の横方向の座標Ｘ  Ｃ１００２と、縦方向の座標Ｙ  Ｃ１００３の情報が含まれる。横方向の座標Ｘ  Ｃ１００２と、縦方向の座標Ｙ  Ｃ１００３は、前述の正方形の左上の角の座標を表す。座標の単位は、印刷時に解答用紙識別符号へ埋め込むときの単位と、スキャン部１０１２が解答用紙識別符号を読み取るときの単位との対応が取れていれば、特に制限されず、例えば、ミリメートル、インチ、及びポイントなどが適用可能である。
【００４３】
なお、解答欄を上記のように決まった大きさの正方形とするのではなく、より自由度を持たせるため、四角形の左上の角と右下の角の位置をそれぞれ始点及び終点とし、図１８のＣ１００４及びＣ１００５を始点の座標として、Ｃ１００６及びＣ１００７を終点の座標として解答用紙識別符号に埋め込んでも良い。このように、多角形のそれぞれの辺の始点と終点、言い換えると各頂点の座標全てを解答用紙識別符号へ埋め込むことにより、四角形だけではなく、三角形や五角形等の様々な多角形の解答欄に対応することができる。
【００４４】
図３に、学習者が解答を記入し終えた解答用紙から、解答を取得する際の動作をフローチャートとして示す。
【００４５】
まず、制御部１００５は、スキャン部１０１２によって生成された解答用紙の画像データを入力し（Ｓ１１０１）、記憶部１００４に記憶させる。なお、カメラ部１００８が解答用紙を撮影することによって、その画像データを生成するようにしても良い。
【００４６】
次に、制御部１００５は、入力した画像データから解答用紙識別符号を検出し、その解答用紙識別符号から問題ＩＤと解答欄の位置情報を抽出する（Ｓ１１０２）。ここでは、図１７に示すように、解答欄の位置情報と問題ＩＤとが対応づけて抽出され、記憶部１００４により記憶される。解答用紙識別符号が存在しない、または、解答用紙の画像データを正確に生成することができなかったなどの理由で、解答用紙識別符号の検出や問題ＩＤ等の抽出が行えなかった場合は、制御部１００５は、解答の取得に失敗と判断し、表示部１００１にその旨を表示させ、ユーザに再度読み取り指示を行わせるような表示を行わせる。
【００４７】
解答用紙識別符号から問題ＩＤと解答欄の位置情報を抽出した場合は（Ｓ１１０３：Ｙｅｓ）、制御部１００５は、解答欄の位置情報に基づいて、記憶部１００４により記憶されている解答用紙の画像データにおける解答欄の位置や形状を特定し、解答欄の部分を解答欄画像データとして、各問題ＩＤに対応させて抽出する（Ｓ１１０４）。なお、学習者用端末１０が、学習者によってタッチペンで入力された文字を認識し、テキストデータとして解答を保存する構成をさらに備えるのあれば、解答欄画像データを抽出した後、文字認識を行い、同様にテキストデータとして解答を保存するしても良い。
【００４８】
制御部１００５は、抽出した解答欄画像データに基づいて、解答欄が空欄かどうかを判別し、解答欄が空欄であった場合は（Ｓ１１０５：Ｙｅｓ）、制御部１００５は、その試験問題は未解答である旨を、記憶部１００４に記憶させる（Ｓ１１０７）。空欄でない場合は、抽出した解答欄画像データを、問題ＩＤと対応させて記憶部１００４に記憶させる（Ｓ１１０６）。解答用紙１枚分の全ての解答欄画像データの抽出が終わると、制御部１００５は、表示部１００１を通じて他に解答を取得すべき解答用紙があるかどうかユーザに問いかけ、ユーザにより新たな解答用紙がセットされた場合は（Ｓ１１０８：Ｙｅｓ）、新たな解答用紙の画像データの入力を行う。
【００４９】
以上のように、本実施例に係る学習者用端末１０によれば、問題ＩＤ及び解答欄の位置情報を含む解答用紙識別符号を解答欄と共に印刷し、また、当該解答用紙識別符合に基づいて解答欄の位置を特定し、解答欄に記入された内容を抽出することで、ユーザが解答欄の位置を指定する操作を行う必要なく、解答用紙に記入された解答を取得することができる。よって、学習者は、学習者用端末１０に試験問題の解答を電子的に入力しなくても、印刷された解答用紙に解答を記入することで、それと同様のことが実現できる。また、学習者が選択した試験問題に対応する解答欄が解答用紙に印刷されるので、学習者は、例えば、自分の理解度に合った難易度の試験問題を選択することができる。
【００５０】
また、学習者用端末１０を持ち出せない事情があっても、学習者は、試験問題が印刷された解答用紙があれば、試験問題を解く機会の環境の制約を受けない。従って、学習者は、例えば、自宅や図書館などの任意の場所で試験問題を解くことができる。もちろん、当該解答用紙は、複数の学習者が一同に集まる試験会場においても利用可能である。尚、本実施例の試験問題は、試験会場で学習者に提示される問題に限られず、指導者が学習者に提示する宿題や学習者が自主的に解こうとする問題も含まれる。
【００５１】
なお、問題ＩＤ及び解答欄の位置情報の組合せの複数に対応する紙ＩＤを学習者用端末１０の記憶部１００４に記憶させておき、解答用紙を印刷する際に、解答用紙識別符号に紙ＩＤのみを埋め込むようにしても良い。図１９は、紙ＩＤと問題ＩＤ及び解答欄の位置情報との関係を説明するための図である。記憶部１００４は、解答用紙を識別する紙ＩＤ  Ｃ１０１１と、解答用紙に印刷された各試験問題の問題ＩＤ  Ｃ１０１２と、解答欄の位置を示す横方向の座標Ｘ  Ｃ１００２と、縦方向の座標Ｙ  Ｃ１００３と、の対応関係をデータテーブルとして記憶する。解答記入後の解答用紙から解答を取得する時には、解答用紙に印刷されている解答用紙識別符号から紙ＩＤを抽出し、前記データテーブルを利用して、当該紙ＩＤに対応した問題ＩＤと解答欄の位置情報を特定することにより、問題ＩＤと対応させつつ、解答欄画像データを抽出することができる。
【００５２】
また、解答用紙を印刷する際に、問題ＩＤを解答用紙識別符号に埋め込み、解答記入後の解答用紙から解答を取得する時には、解答用紙識別符号から問題ＩＤを抽出し、その問題ＩＤから、印刷レイアウトを再現するようにしても良い。この場合、再現した印刷レイアウトから解答欄の位置情報を得ることにより、問題ＩＤと対応させつつ、解答欄画像データを抽出することができる。
【００５３】
さらに、解答用紙を印刷する際に、問題ＩＤを解答用紙識別符号に埋め込むと共に、図５に示すように、解答欄の位置の基準を示す解答欄マーカー８１０１、８１０２、８１０３を印刷するようにしても良い。解答記入後の解答用紙から解答を取得する時には、解答用紙識別符号から印刷されている試験問題の問題ＩＤを抽出し、また、解答欄マーカーのある場所から解答欄の位置を検出し、試験問題の順に問題ＩＤと対応付けて解答欄画像データを抽出することができる。なお、この方法では解答欄の読み取り順が、縦書き横書きの違いや紙の方向によって異なるため、後に記す縦書き横書き、および紙の方向を認識を合わせて行うことがより望ましい。
【００５４】
また、各試験問題と解答欄との位置関係を対応付ける問題識別記号を解答用紙識別符号に埋め込むようにしても良い。図２０に解答用紙識別符号に埋め込まれている情報の例を示す。この解答用紙識別符号には、問題ＩＤ  Ｃ１０２１に対応して、さまざまな形状の問題識別記号Ｃ１０２２が埋め込まれている。解答用紙には、図６に示すように、解答用紙識別符号と解答欄マーカー８１０１、８１０２、８１０３と共に、問題ＩＤに対応した問題識別記号８１１１、８１１２、８１１３を印刷する。解答記入後の解答用紙から解答を取得する時には、解答用紙識別符号から試験問題の問題ＩＤを抽出し、また、解答用紙識別符号から問題ＩＤに対応する問題識別記号を抽出する。そして、解答欄マーカーのある場所から解答欄の位置を検出し、解答欄画像データ、および、問題識別記号を抽出する。解答用紙識別符号から読み取った問題ＩＤと問題識別記号との対応から、問題ＩＤと解答欄画像データとの位置関係を特定し、各問題ＩＤに対応させつつ、解答欄画像データを抽出することができる。
【００５５】
また、図７に例として示すように、基準位置マーカー８１２１、８１２２、８１２３、８１２４を解答用紙に印刷し、解答記入後の解答用紙の画像データを生成した後、制御部１００５が、基準位置マーカーの位置を検出し、そのマーカーが正しく取得したときの画像データの位置と同様の位置となるように、画像データの回転、拡大、縮小、ゆがみ補正、及び位置合わせ等の補正を行うようにしても良い。例えば、紙の４つの角からそれぞれ上下左右１ｃｍ余白を取った位置に十字の中心が位置するように、解答用紙上に十字を印刷し、解答用紙の画像データを生成した後、画像データ上で四隅の十字が４つの角の上下左右１ｃｍ余白を取ったところに位置するよう、画像データの補正を行う。その後、制御部１００５は、解答用紙識別符号を抽出する。このように基準位置マーカーを設け、基準位置マーカーにより画像データを補正することによって、何らかの理由で、解答用紙がゆがんだ状態で読み込まれた場合でも、解答用紙識別符号の認識や解答欄画像データの抽出が正確に行える。
【００５６】
また、解答用紙識別符号として、２次元バーコードのように、解答用紙識別符号自体の方向が傾いていないか、９０度傾いているかを判別できる情報を含むものを用いても良い。この場合、試験問題や解答欄の方向（例えば、縦書きや横書き）に合わせて、解答用紙識別符号を印刷する一方で、解答用紙に印刷された解答用紙識別符号の方向を検出することで、解答用紙の向きを判別することができる。さらに、解答用紙の印刷方向に応じて解答用紙識別符号を印刷する位置を変え、解答用紙識別符号が印刷されている位置を検出することで解答用紙の印刷方向を認識しても良い。例えば図８（ａ）及び図８（ｂ）のように、解答用紙の印刷方向が縦のときは、解答用紙識別符号が解答用紙の右上に位置するようにし、図８（ｃ）及び図８（ｄ）のように、解答用紙の印刷方向が横のときは、解答用紙識別符号が解答用紙の左上に位置するようにすれば、解答用紙識別符号の位置によって解答用紙の印刷方向を判別することが可能となる。このように縦書き・横書きや解答用紙の方向を検出できるようにすることで、さまざまな教科の試験問題に対応した印刷を行うことができる。
【００５７】
解答用紙識別符号に、各解答欄が必要とする解像度（以下、「必要解像度」）の情報を付加してもよい。図２１に解答用紙識別符号に埋め込まれた情報の例を示す。この解答用紙識別符号には、問題ＩＤ  Ｃ１００１に対応する必要解像度Ｃ１０３１が付加されている。解答用紙の画像データを生成する際には、最大の解像度で画像データを生成し、解答用紙識別符号から解答欄ごとに必要解像度を抽出し、解答欄画像データ抽出後、必要解像度に応じて、画像データの解像度を下げる変換を行う。このように、解答欄ごとに必要解像度に関する情報を付加することで、高い解像度の必要がない解答欄画像データのデータ量を小さくすることができる。なお、必要解像度には任意な数値を適用可能であり、例えば、文字による解答が予定される解答欄の必要解像度を２００ｄｐｉとし、絵画による解答が予定される解答欄の必要解像度を４００ｄｐｉとすることができる。また、操作部１００２が受け付ける操作に基づいて、必要解像度を変更できるようにしても良い。
【００５８】
記憶部１００４が学習者用端末１０や学習者固有の識別情報（以下、端末ＩＤ）を記憶し、解答用紙識別符号に端末ＩＤを付加してもよい。このようにすれば、解答用紙識別符号に基づいて、解答用紙がどの学習者用端末１０により印刷されたものであるか、またはだれによって印刷されたのかを容易に特定することができる。尚、学習者用端末１０は、自らが記憶する端末ＩＤと、解答用紙上の解答用紙識別符号から抽出した端末ＩＤとの比較を行い、一致した場合はそのまま解答の取得を行い、一致しない場合は、解答の取得を行わないようにしても良い。この場合、解答用紙を印刷した学習者用端末１０のみが解答を取得できるので、解答が記入された解答用紙の生徒間での使いまわしや、複数の学習者がそれぞれ試験問題を解いたこととする不正行為を防ぐことができる。
【００５９】
解答欄の近くに解答確認欄を印刷するようにしても良い。図９に、この例の解答用紙を示す。解答確認欄８１３１、８１３２、８１３３の位置は、解答欄の上下左右どこでも良いが、例えば、解答欄の右上隅から１ｃｍ離れた場所に１．５ｃｍ四方の正方形の解答確認欄を印刷する。学習者が解答欄に解答の記入を終えた後、学習者の保護者や指導者が学習者本人が試験問題を解き終わったことを確認し、解答を学習者自身が行ったことを示す解答用紙識別符号のシールを空欄へと貼り付ける。その後、解答記入済みの解答用紙の画像データを生成し、解答欄画像データを抽出する際に、解答確認欄の解答用紙識別符号を読み取り、その解答用紙識別符号が解答を学習者自身が行ったことを示すものであれば、制御部１００５は、学習者用端末１０の記憶部１００４へ解答欄画像データを保存し、そうでなかった場合は解答欄画像データの保存は行わず、未解答として扱う。なお、解答を学習者自身が行ったことを示す解答用紙識別符号はシールではなく判子であっても良い。また、学習者自身が行ったことを示すものは解答用紙識別符号ではなく、星印や２重丸印などの特定の記号であっても良い。このように、解答用紙識別符号が添付された解答のみ取り込むようにすることで、指導者や親といった人による確認結果を反映することができ、他人の答えを写すなどの不正ができにくくすることができる。
【００６０】
解答用紙を複数の領域に分割し、問題ＩＤなどを含む解答用紙識別符号を領域ごとに印刷を行い、制御部１００５が、領域ごとに、解答欄画像データを抽出しても良い。図１０に、この例の解答用紙を示す。この場合、フォーカスを合わせることが相対的に容易となるため、学習者用端末１０のカメラ部１００８が解答記入済みの解答用紙を撮影し、画像データを生成する場合のように、撮影後の解像度が不十分で不鮮明な画像データしか得られず、解答用紙識別符号の抽出が不可能となったり、解答欄画像データが不鮮明な状態で抽出されたりすることを防止することができる。
【実施例２】
【００６１】
図１１は、本実施例に係る教育支援システムの構成を示す図である。
【００６２】
本実施例に係る教育支援システムは、ネットワーク２、学習者用端末１０、校内ネットワーク２２、学校サーバ２３、携帯端末９１、及び、ＰＣ端末９２を含む。
【００６３】
ネットワーク２は、インターネット・プロトコル等を使用するＷＡＮ（Ｗｉｄｅ  Ａｒｅａ  Ｎｅｔｗｏｒｋ）、ＬＴＥ（Ｌｏｎｇ  Ｔｅｒｍ  Ｅｖｏｌｕｔｉｏｎ）、ＨＳＰＡ（Ｈｉｇｈ  Ｓｐｅｅｄ  Ｐａｃｋｅｔ  Ａｃｃｅｓｓ）、及びＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等から構成される通信ネットワークであり、学習者用端末１０、携帯端末９１、ＰＣ端末９２、校内ネットワーク２２等を相互に接続し、相互間の通信を可能にする。
【００６４】
校内ネットワーク２２は、有線ＬＡＮ（Ｌｏｃａｌ  Ａｒｅａ  Ｎｅｔｗｏｒｋ）、無線ＬＡＮ、ＬＴＥ、及びＷｉＭＡＸ等から構成される学校専用の通信ネットワークであり、ネットワーク２、及び学校サーバ２３を相互に接続し、相互間の通信を可能にする。
【００６５】
学校サーバ２３は学校専用のサーバであり、校内ネットワーク２２を介して、情報を送受信する。なお、学校サーバ２３は、必ずしも学校内に設置されている必要はなく、データセンターなど学校外に設置されていても良い。この場合、業者による学校サーバ２３の保守が容易となり得る。
【００６６】
図１２に学習者用端末１０の構成例を示す。本実施例に係る学習者用端末１０は、実施例１で説明した構成に加え、通信部１１０１を備える。通信部１１０１は、無線ＬＡＮ、Ｂｌｕｅｔｏｏｔｈ（登録商標）、赤外線通信、ＩＣタグ機能、ＴｒａｎｓｆｅｒＪＥＴ（登録商標）、ＬＴＥ、ＨＳＰＡ、ＥＶ−ＤＯ（Ｅｖｏｌｕｔｉｏｎ  Ｄａｔａ  Ｏｎｌｙ）、及びＷｉＭＡＸ等の無線通信機能、または、Ｅｔｈｅｒｎｅｔ（登録商標）等の有線通信機能を備え、各種の情報を送受信する。無線通信機能は、アンテナ、及び変復調回路等を含む。有線通信機能は、コネクタ、及び変復調回路等を含む。情報の送受信は、ネットワーク２または校内ネットワーク２２を介して行われても良いし、これらを介さずに各機器間で直接行われても良い。通信部１１０１は、複数の通信方式に対応するよう構成されても良い。
【００６７】
図１３に学校サーバ２３の構成例を示す。
【００６８】
表示部２３０１は、液晶ディスプレイ等のパネルとドライバ回路等から構成され、制御部２３０５の制御下にて、任意の情報（例えば、文字、静止画、及び動画等）を表示する。主に、サーバ管理者向けの情報を表示する。なお、表示部２３０１は、学校サーバ２３本体とは別の筐体であっても良い。
【００６９】
操作部２３０２は、キーボード、マウス、及びカーソルキー等の一または複数を備え、ユーザの操作を受け付け、当該操作に基づいた信号を制御部２３０５に出力する。なお、操作部２３０２は、音声認識、画像認識、またはジェスチャ認識等によってユーザの挙動に応じた信号を生成し、制御部２３０５に出力するようにしても良い。なお、表示部２３０１のパネルと操作部２３０２のユーザの接触操作を受け付ける部分とが一体となったタッチパネルを適用しても良い。
【００７０】
電源供給部２３０３は、バッテリ、ＡＣアダプタ、及び充電回路等から構成され、学校サーバ２３の各部への電源供給や、バッテリへの充電を行う。また、学校サーバ２３がバッテリ駆動されているか、ＡＣアダプタ駆動されているかといった状態確認や、バッテリの残量確認を行う。
【００７１】
記憶部２３０４は、学校サーバ２３に内蔵されるメモリ、または着脱可能な外部メモリ等から構成され、各種の情報を更新可能なように記憶する。例えば、制御部２３０５が実行する動作制御用プログラムや、各試験問題に対応する解答が記憶されている。
【００７２】
制御部２３０５は、ＣＰＵ、ＭＰＵ、ＤＳＰ等から構成され、所定の動作制御用プログラムを実行するなどして、学校サーバ２３全体の動作を制御する。
【００７３】
通信部２３０６は、無線ＬＡＮ等の無線通信機能、または、Ｅｔｈｅｒｎｅｔ（登録商標）等の有線通信機能を備え、各種の情報を入出力する。無線通信機能は、アンテナ、及び変復調回路等を含む。有線通信機能は、コネクタ、及び変復調回路等を含む。情報の入出力は、基本的にはネットワーク２を介して行われる。なお、通信部２３０６は、複数の通信方式に対応するよう構成されても良い。
【００７４】
認証部２３０７は、パスワード認証、指紋認証、指静脈認証、筆跡認証、顔認証、声紋認証、及び虹彩認証等の認証方式により、学校サーバ２３を利用しようとするユーザが正規のユーザか否かを認証する。認証部２３０７は、認証方式に応じて、ユーザが認証用に入力した情報（パスワード、指紋データ、指静脈データ、筆跡データ、顔画像データ、声紋データ、または虹彩データ等）を取り込む機能を備える。
【００７５】
図１４に携帯端末９１の構成例を示す。
【００７６】
携帯端末９１は、表示部９１０１、操作部９１０２、電源供給部９１０３、記憶部９１０４、制御部９１０５、通信部９１０６、カメラ部９１０８、及びバス９１１４を備える。
【００７７】
表示部９１０１は、液晶ディスプレイ等のパネルとドライバ回路等から構成され、制御部９１０５の制御下にて、任意の情報（例えば、文字、静止画、及び動画等）を表示する。なお、表示部９１０１は、それぞれ異なる情報を表示可能な複数のパネルを有していても良い。
【００７８】
操作部９１０２は、キーボード、マウス、カーソルキー、及びテンキー等の一または複数を備え、ユーザの操作を受け付け、当該操作に基づいた信号を制御部９１０５に出力する。なお、操作部９１０２は、音声認識、画像認識、またはジェスチャ認識等によって信号を生成し、制御部９１０５に出力するようにしても良い。なお、表示部９１０１のパネルと操作部９１０２のユーザの接触操作を受け付ける部分とが一体となったタッチパネルを適用しても良い。
【００７９】
電源供給部９１０３は、バッテリ、ＡＣアダプタ、及び充電回路等から構成され、携帯端末９１の各部への電源供給や、バッテリへの充電を行う。また、携帯端末９１がバッテリ駆動されているか、ＡＣアダプタ駆動されているかといった状態確認や、バッテリの残量確認を行う。
【００８０】
記憶部９１０４は、携帯端末９１に内蔵されるメモリ、または着脱可能な外部メモリ等から構成され、各種の情報を記憶する。例えば、制御部９１０５が実行する動作制御用プログラムや試験問題が記憶される。
【００８１】
制御部９１０５は、ＣＰＵ、ＭＰＵ、及びＤＳＰ等から構成され、所定の動作制御用プログラムを実行するなどして、携帯端末９１全体の動作を制御する。
【００８２】
通信部９１０６は、無線ＬＡＮ、Ｂｌｕｅｔｏｏｔｈ、赤外線通信、ＩＣタグ機能、ＴｒａｎｓｆｅｒＪＥＴ、ＬＴＥ、ＨＳＰＡ、ＥＶ−ＤＯ、及びＷｉＭＡＸ等の無線通信機能、または、Ｅｔｈｅｒｎｅｔ（登録商標）等の有線通信機能を備え、各種の情報を入出力する。無線通信機能は、アンテナ、及び変復調回路等を含む。有線通信機能は、コネクタ、及び変復調回路等を含む。情報の入出力は、ネットワーク２または校内ネットワーク２２を介して行われても良いし、ネットワークを介さずに各機器間で直接行われても良い。通信部９１０６は、複数の通信方式に対応するよう構成されても良い。
【００８３】
カメラ部９１０８は、レンズ等の光学式部品を含む撮像デバイスと画像処理デバイス等を備えている。カメラ部９１０８は、制御部９１０５の制御の下、撮像を行い、静止画や動画等の画像データを生成する。
【００８４】
バス９１１４は、各部が相互に信号を伝送するための伝送路である。
【００８５】
図１５にＰＣ端末９２の構成例を示す。
【００８６】
ＰＣ端末９２は、表示部９２０１、操作部９２０２、電源供給部９２０３、記憶部９２０４、制御部９２０５、通信部９２０６、インターフェース部９２２１、及びバス９２１４を備える。このうち、表示部９２０１、操作部９２０２、電源供給部９２０３、記憶部９２０４、制御部９２０５、通信部９２０６、及びバス９２１４は、携帯端末９１の表示部９１０１、操作部９１０２、電源供給部９１０３、記憶部９１０４、制御部９１０５、通信部９１０６、及びバス９１１４とそれぞれ同種の構成である。
【００８７】
インターフェース部９２２１は、たとえばＵＳＢ、ワイヤレスＵＳＢ、及び無線ＬＡＮ等の規格に準じた通信を可能にするポート及びコントローラ等から構成され、ＰＣ端末９２と外部の機器の間の情報の入出力を可能にするためのものである。
【００８８】
スキャン部９２１２は、紙に印刷されていたり、手書きされていたりする文字や図形の画像データを読み取って画像データを生成し、その画像データをインターフェース部９２２１を介してＰＣ端末９２へと出力する。
【００８９】
次に、本実施例に係る教育支援システムの動作について図１６を用いて説明する。
【００９０】
携帯端末９１のカメラ部９１０８は、解答記入済みの解答用紙を撮影し、制御部９１０５が解答用紙全体の画像データを記憶部９２０４に保存させる（Ｓ１２０１）。その後、制御部９１０５は、通信部９１０６を介して、ネットワーク２及び校内ネットワーク２２を通じて、学校サーバ２３に認証を要求する（Ｓ１２０２）。ここでは、認証の実施に必要な情報、例えば、あらかじめ学習者ごとに定められた学習者ＩＤとパスワードが学校サーバ１２に送信される。なお、学習者ＩＤ及びパスワードは、学習者の操作に応じて、携帯端末９１の操作部９２０２により入力される。
【００９１】
学校サーバ２３が、通信部９２０５を介して、認証の要求を入力すると、認証部２３０７は認証を行い（Ｓ１２０３）、認証が成功すると、学校サーバ２３の制御部２３０５は、通信部２３０６を介して、認証が完了した旨を携帯端末に通知する（Ｓ１２０４）。その後、学習者の操作に応じて、携帯端末９１は、解答用紙全体の画像データを学校サーバ２３に出力する（Ｓ１２０５）。なお、ＰＣ端末９２において、デジタルカメラやスキャナ等から構成されるスキャン部９２１２が解答用紙全体の画像データを生成し、通信部９２０５を介して、ネットワーク２及び校内ネットワーク２２を通じて、学校サーバ２３へ出力するようにしても良い。この場合、ＰＣ端末９２の制御部９２０５が、通信部９２０６を介して、学校サーバ２３に認証を要求するようにしても良い。また、解答の記入が完了していない状態で、解答用紙の画像データを生成し、携帯端末９１やＰＣ端末９２の画像編集機能を用いて、画像データを表示部９１０１、９２０１に表示させ、学習者が操作部部９１０２、９２０２を用いて解答欄に解答を記入し、その解答を学校サーバ２３へ出するようにしても良い。
【００９２】
画像データを入力すると、学校サーバ２３の制御部２３０５は、実施例１と同様に、図３のＳ１１０２〜Ｓ１１０７と同じ動作を行い、問題ＩＤに対応させて解答欄画像データを記憶部２３０４へ保存させる（Ｓ１２０６）。なお、解答用紙識別符号を読み取れなかった場合は（Ｓ１１０３：Ｎｏ）、学校サーバ２３の制御部２３０５は、携帯端末９１へその旨の通知を行う。この後、学校サーバ２３の制御部２３０５は、解答欄画像データの文字認識を行い、解答をテキストデータ化して、問題ＩＤと対応付けて記憶部２３０４に保存させる（Ｓ１２０７）。そして、学校サーバ２３の制御部２３０５は、あらかじめ記憶部２３０４により問題ＩＤと対応付けて記憶されている正解と、入力した解答との比較を行うことにより、答えあわせを行い、問題ＩＤに対応付けて正解または不正解の結果を記憶部２３０４へ保存させる（Ｓ１２０８）。答えあわせが終了した後、学習者が、正解した試験問題と不正解の試験問題を知ることができるように、問題ＩＤを、解答用紙に印刷したときの問題番号へ変換し、その問題番号を、学内ネットワーク２２及びネットワーク２を通じて、学習者の携帯端末９１やＰＣ端末９０へ出力する（Ｓ１２０９）。なお、学校サーバ２３の記憶部２３０４が、学習者ＩＤと対応付けて学習者のメールアドレスを保存するようにすれば、試験問題の正解または不正解の情報を、そのメールアドレス宛に、電子メールとして送信しても良い。
【００９３】
また、携帯端末９１が、解答用紙の画像データを学校サーバ２３へ出力した後、学校サーバ２３の記憶部２３０４により保存されている問題ＩＤと、当該問題ＩＤに対応した解答欄画像データを、校内ネットワーク２とネットワーク２２を通じて、学習者用端末１０が受信するようにしても良い。
【００９４】
以上の説明では、携帯端末９１やＰＣ端末９２が、ネットワーク２を通じて、学校サーバ２３へ、画像データの送信を行うように記述しているが、学習者用端末１０が、解答用紙の画像データを学校サーバ２３へ送信するようにしても良い。
【００９５】
また、カメラつき携帯電話などで、解答記入済みの解答用紙を撮影し、解答欄画像データを生成する場合は、図１０を用いて説明したように、１枚の解答用紙を複数の領域に分割して、解答を取得するようにしても良い。
【００９６】
また、複数の解答欄画像データが学校サーバ２３の記憶部２３０４により複数保存されている場合、学習者ＩＤごとに同じ問題ＩＤの解答欄画像データの比較を行い、同じ問題ＩＤについて同じ解答欄画像データが２つ以上ある場合は、学校サーバ２３の記憶部２３０４に解答欄画像データが同じ学習者ＩＤの問題ＩＤに対応させて、同内容となっている他の学習者の学習者ＩＤ（以下、同解答学習者ＩＤ）を保存させても良い。この場合、学校サーバ２３は、同解答学習者ＩＤがある場合は、複数の学習者によって同内容の解答があったことを指導者が持つ、学習者用端末１０と同構成の指導者用端末（図示しない）に送信し、その表示部に表示させても良い。また、学校サーバ２３は、指導者用端末が学校サーバ２３へアクセスしたときに，その旨を通知しても良い。図２２に、学校サーバ２３の記憶部２３０４により保存されている内容の例を示す。学習者ＩＤ  Ｃ１０４１、問題ＩＤ  Ｃ１０４２に対して、解答欄画像データＣ１０４３、文字認識後のテキストデータＣ１０４４、答えあわせ結果Ｃ１０４５、同内容学習者ＩＤ  Ｃ１０４６が保存される。
【００９７】
以上のように、携帯端末９１やＰＣ端末９２が解答記入済みの解答用紙の画像データを学校サーバ２３に送信し、学校サーバ２３が解答欄データを抽出し、答えあわせをすることで、学習者が学習者用端末１０を持ち合わせていなくとも、採点結果まで知ることができる。また、複数の学習者が１枚の解答記入済みの解答用紙を使いまわす不正を行った場合、これを検知することができる。
【００９８】
なお、本発明は前述の各実施例に限定されるものではなく、既に例示したものも含めて、様々な変形例が考えられる。
【００９９】
また、前述の各実施例は本発明の理解のために詳細に説明されたものであり、本発明は、前述の各構成を全て備えるものに限定されない。また、ある実施例の一部を他の実施例の一部に置き換えることは可能であり、また、ある実施例の一部を他の実施例に付加することも可能である。
【０１００】
また、各実施形態における構成の一部または全部を、例えば、集積回路等のハードウェアを用いて実現しても良いし、マイクロプロセッサがプログラムを解釈し、実行することにより実現しても良い。また、各構成を実現するプログラム、テーブル、及びファイル等の電子的情報を、メモリや、ハードディスク、ＳＳＤ（Ｓｏｌｉｄ  Ｓｔａｔｅ  Ｄｒｉｖｅ）、ＩＣカード、ＳＤカード、ＤＶＤその他の記録媒体が記録するようにしても良い。
【０１０１】
なお、各図面上の制御線や情報線は説明上必要と考えられるものを示しており、本発明の実施に必要な制御線や情報線が全て示されているとは限らない。例えば、全ての構成が相互に接続されるようにしてもよい。逆に、本発明の実施に際して、各図面上の制御線や情報線全てを備える必要は必ずしもない。
【符号の説明】
【０１０２】
２    ネットワーク
１０  学習者用端末
２２  校内ネットワーク
２３  学校サーバ
９１  携帯端末
９２  ＰＣ端末
【図１】
2013011705.tif 000003
【図２】
2013011705.tif 000004
【図３】
2013011705.tif 000005
【図４】
2013011705.tif 000006
【図５】
2013011705.tif 000007
【図６】
2013011705.tif 000008
【図７】
2013011705.tif 000009
【図８（ａ）】
2013011705.tif 000010
【図８（ｂ）】
2013011705.tif 000011
【図８（ｃ）】
2013011705.tif 000012
【図８（ｄ）】
2013011705.tif 000013
【図９】
2013011705.tif 000014
【図１０】
2013011705.tif 000015
【図１１】
2013011705.tif 000016
【図１２】
2013011705.tif 000017
【図１３】
2013011705.tif 000018
【図１４】
2013011705.tif 000019
【図１５】
2013011705.tif 000020
【図１６】
2013011705.tif 000021
【図１７】
2013011705.tif 000022
【図１８】
2013011705.tif 000023
【図１９】
2013011705.tif 000024
【図２０】
2013011705.tif 000025
【図２１】
2013011705.tif 000026
【図２２】
2013011705.tif 000027
【図２３】
2013011705.tif 000028
【図２４】
2013011705.tif 000029